(57)【要約】【課題】  充分な電力供給を実現するとともに、電力コストや製造コストを削減でき、さらには容易に移動することができる可搬式電源装置を提供すること。【解決手段】  本発明の可搬式電源装置太陽電池パネルと、太陽電池パネルからの電力を貯蔵するバッテリと、バッテリの電力を変換するインバータと、家庭用電力を充電する充電器を備えた電源装置を、可搬台車内に収容したことを特徴とする。  また前記可搬用台車内に、過充電防止用のコントローラと、ブースターケーブルと、雲台を搭載した。【選択図】図１
2016115323.tif 000002
【特許請求の範囲】
【請求項１】
太陽電池パネルと、太陽電池パネルからの電力を貯蔵するバッテリと、バッテリの電力を変換するインバータと、家庭用電力を充電する充電器を備えた電源装置を、可搬台車内に収容したことを特徴とする可搬式電源装置。
【請求項２】
前記可搬用台車に、過充電防止用のコントローラを搭載した請求項１記載の可搬式電源装置。
【請求項３】
前記可搬用台車に、ブースターケーブルを搭載した請求項１または２に記載の可搬式電源装置。
【請求項４】
前記可搬用台車に、雲台を装着した請求項１乃至３のうちいずれかに記載の可搬式電源装置。
【発明の詳細な説明】
【技術分野】
【０００１】  本発明は、電力コストを削減でき、移動が可能であるとともに、多目的に使用できる可搬式電源装置に関する。
【背景技術】
【０００２】  近日、太陽光を用いて、直接的に電力を変えるソーラーパネルを用いた発電方式がある。前記発電方式は、ソーラーパネルを屋根上に設置して住居内に電気を供給するものや、広大な屋外に複数のソーラーパネルを配置させ、大量の電力を供給させる方法も開発されている。
【先行技術文献】
【特許文献】
【０００３】  また上記の太陽発電に関連する従来技術として、充電時間が短くて、温度による影響が小さく、軽量で、長寿命の、環境汚染の虞が無いソーラー式携帯電源ユニットがある（例えば特許文献１参照）。
上掲特許文献１のソーラー式携帯電源ユニットは、表面には太陽電池の受光面を設け、本体部には太陽電池の発電出力を蓄電するパワーコンデンサと、昇圧回路部とを内蔵し、上記昇圧回路部には電源供給端子を設けた構造としたことを特徴とする。
【特許文献１】特開平６−３５１１７７号公報
【発明の概要】
【発明が解決しようとする課題】
【０００４】  しかしながら、上掲特許文献１のソーラー式携帯電源ユニットは、太陽電池の発電出力により電力を供給するため、長時間の電力供給ができないという問題があった。また充分な電力が得られないため、屋外での炊飯や工作作業等の多くの電力を必要とする作業には不向きであった。【０００５】  そこで本発明は上記の点に鑑み、充分な電力供給を実現するとともに、電力コストや製造コストを削減でき、さらには容易に移動することができる可搬式電源装置を提供することにある。
【解決を解決するための手段】
【０００６】  上記課題を解決するために本発明の可搬式電源装置は、太陽電池パネルと、太陽電池パネルからの電力を貯蔵するバッテリと、バッテリの電力を変換するインバータと、家庭用電力を充電する充電器を備えた電源装置を、可搬台車内に収容したことを特徴とする。
【０００７】  また前記可搬用台車に、過充電防止用のコントローラを搭載した。
【０００８】  さらに前記可搬用台車に、ブースターケーブルを搭載した。
【０００９】    またさらに、前記可搬用台車に雲台を装着した。
【発明の効果】
【００１０】  本発明の可搬式電源装置は、太陽電池パネルと、太陽電池パネルからの電力を貯蔵するバッテリと、バッテリの電力を変換するインバータと、家庭用電力を充電する充電器を備えた電源装置を、可搬台車内に収容したことにより、移動が容易となり利便性が高まる。
【００１１】  また可搬用台車内に、過充電防止用のコントローラを搭載したことにより、過充電による高温発生の事故を防止することができる。
【００１２】  さらに可搬用台車内にブースターケーブルを搭載したことで、車両バッテリへの充電やエンジンのスターターを回すことができる。
【００１３】  またさらに、前記可搬用台車に雲台を装着したことにより、カメラや携帯電話、双眼鏡等の光学機器を装着することができる。
【図面の簡単な説明】
【００１４】
【図１】本発明の可搬式電源装置の分解斜視図である。
【図２】可搬式電源装置の全体図である。
【図３】本発明の可搬式電源装置の使用状態である。
【発明を実施するための形態】
【００１５】  本発明の可搬式電源装置は、充分な電力供給を実現し、電力コストや製造コストを削減できるとともに、移動を容易にすることを特徴とする。
以下、本発明の可搬式電源装置における実施の形態を図面に基づいて説明する。
【００１６】  図示する可搬式電源装置１は、太陽電池パネル２と、太陽電池パネル２からの電力を貯蔵するバッテリ３と、バッテリ３の電力を変換するインバータ４と、家庭用電力を充電する充電器５を備えた電源装置１０を、可搬台車２０内に収容したことを特徴とする。
【００１７】  前記太陽電池パネル２は、太陽光を用いて、直接的に電力を変える複数のソーラーパネルにて構成されている。また前記太陽電池パネル２の一方の接続コード１１は、後述詳細のコントローラ６に、他方の接続コード１２はインバータ４に接続されている。特に、本発明の可搬式電源装置１に太陽電池パネル２を備えたことにより、電力コストの削減が実現できる。
【００１８】  前記バッテリ３は、１２Ｖの市販のバッテリが用いられる。前記バッテリ３のプラス端子は接続コード１３を介して、またマイナス端子は接続コード１４を介してインバータ４に接続されている。また前記バッテリ３は１２Ｖのバッテリが使用されるため、車両のスターターを回すことができる。
【００１９】  インバータ４は、前記太陽電池パネル２からの直流電力を電気的に交流電力に生成するもので、側部には１２Ｖの入力端子１５が、他の側面には１００Ｖの出力端子１６がそれぞれ具備されている。
【００２０】  充電器５は、家庭用コンセントに接続されるコード１７と、前記バッテリ３に接続されるコード１８，１９を備えている。そのため前記充電器５は、家庭用の電力を充電させることができる。
【００２１】  また特に、本発明の可搬式電源装置１には、コントローラ６が搭載されている。かかるコントローラ６は過充電を防止するもので、接続コード１１により太陽光パネル２に、他方の接続コード１２によりインバータ４に接続されている。前記コントローラ６を搭載したことにより、過充電による発熱事故を防止することができる。
【００２２】  また本発明の可搬式電源装置１には、ブースターケーブル７が具備されている。ブースターケーブル７を搭載したことで、車両バッテリへの充電作業やエンジンのスターターを回すことができ、高い利便性を実現できる。
【００２３】  さらに、本発明の可搬式電源装置１には雲台２５が装着されている。雲台２５は、カメラや双眼鏡などの光学機器を保持して自由な角度で装着するものである。雲台２５を装着することにより、例えばデジタルカメラ等を好適な場所で、且つ、任意の角度で使用することができる。なお前記雲台２５は、可搬式電源装置１のさまざまな個所に設置できるが、好ましくは、図示するようにハンドル２３に設置することが好ましい。
【００２４】  可搬台車２０は、本体部２１と、車輪２２と、ハンドル２３とからなる。また前記可搬台車２０内には、図２に示すように前記構造の電源装置１０が収納される。そのことにより、前記電源装置１０を容易に、且つ少ない力で移動させることができる。
【００２５】  また前記ハンドル２３には折曲部２４が設置されている。そのことにより、図３に示すように略中央部より折り曲げることができ、不使用時や収納の際の利便性が得られる。
【００２６】  次に、本発明の可搬式電源装置の使用方法を説明する。
屋外で工作作業やキャンプ場等で電気機器を利用する際、電源装置１０を収納した可搬台車２０をその場に移動させる。そして、インバータの１００Ｖ出力端子１６にコードを接続し、図３に示すようにそれぞれの作業を行う。
【００２７】  また、車両のバッテリが故障し、車両のエンジンが始動しない場合、搭載のブースターケーブル７を使用し、車両のバッテリと接続することで、エンジンのスターターを回すことができる。
【００２８】  さらに、可搬式電源装置１に雲台２５を装着することで、デジタルカメラ等を好適な場所で、且つ、任意の角度で使用することができる。
【００２９】  上述の如く、本発明の可搬式電源装置１はシンプルな構造であり、且つ、太陽電池パネルを使用したことで、電力コストの削減が実現できる。また、電源装置１０を可搬台車２０に収容することにより、移動や車両への搭載が可能となり、多目的な使用ができ利便性が向上する。
【符号の説明】
【００３０】１    可搬式電源装置
２    太陽光パネル
３    バッテリ
４    インバータ
５    充電器
６    コントローラ
７    ブースターケーブル
１０  電源装置
１１  接続コード
１２  接続コード
１３  接続コード
１４  接続コード
１５  入力端子
１６  出力端子
１７  コード
１８  コード
１９  コード
２０  可搬台車
２１  本体部
２２  車輪
２３  ハンドル
２４  折曲部
２５  雲台
【図１】
2016115323.tif 000003
【図２】
2016115323.tif 000004
【図３】
2016115323.tif 000005